(57)【特許請求の範囲】
【請求項１】
液透過性の表面層、液不透過性の防漏層及び両層の間に介在する液保持性の吸収層を具備し、実質的に縦長に形成されてなる吸収性物品において、
左右両側縁部における上記表面層上には、それぞれ、シート材から形成された防漏壁部が固着されており、
上記防漏壁部の固着部は、上記シート材の幅方向ほぼ中央部を上記表面層に固着して線状に形成されており、上記防漏壁部の壁部は、該固着部の左右両側それぞれに設けられていると共に、
上記固着部には、多数の開孔が設けられていることを特徴とする吸収性物品。
【請求項２】
上記防漏壁部は、自由縁部を有することを特徴とする請求項１記載の吸収性物品。
【請求項３】
上記防漏壁部が、シート材でループを形成してループ状とされていることを特徴とする請求項１記載の吸収性物品。
【発明の詳細な説明】
【０００１】
【発明の属する技術分野】
本発明は、側部からの漏れ防止性能が高い、生理用ナプキンや失禁パッドなどの吸収性物品に関する。
【０００２】
【従来の技術及び発明の解決しようとする課題】
従来より、吸収性物品は、漏れを防止すること、特に側部からの漏れを効果的に防止することが要求されており、種々提案がなされている。
【０００３】
例えば、特開平５−３３７１５２号公報、特開平５−１３７７５０号公報、特開平７−１１２００７号公報及び特開平７−１３６２１２号公報において、吸収性物品の幅方向左右両側縁部に疎水性の防漏壁を設けて、側部からの漏れを防止することが提案されている。
しかし、これらの提案にかかる吸収性物品においても、防漏壁を超えて体液が流出する場合があり、未だ漏れ防止は十分でなかった。
【０００４】
従って、本発明の目的は、側部からの漏れ防止性に優れた吸収性物品を提供することにある。
【０００５】
【課題を解決するための手段】
本発明は、液透過性の表面層、液不透過性の防漏層及び両層の間に介在する液保持性の吸収層を具備し、実質的に縦長に形成されてなる吸収性物品において、左右両側縁部における上記表面層上には、それぞれ、シート材から形成された防漏壁部が固着されており、上記防漏壁部の固着部は、上記シート材の幅方向ほぼ中央部を上記表面層に固着して線状に形成されており、上記防漏壁部の壁部は、該固着部の左右両側それぞれに設けられていると共に、上記固着部には、多数の開孔が設けられていることを特徴とする吸収性物品を提供することにより、上記目的を達成したものである。
【０００６】
【発明の実施の形態】
以下、本発明の吸収性物品について図面を参照して説明する。
図１は、本発明の吸収性物品の第１の実施形態としての生理用ナプキンを示す斜視図であり、図２は、図１のII-II 拡大断面図である。
【０００７】
図１及び２に示す本実施形態の吸収性物品としての生理用ナプキン１は、液透過性の表面層２、液不透過性の防漏層４及び両層２，４の間に介在する液保持性の吸収層３を具備し、実質的に縦長に形成されてなる。
【０００８】
図２に示すように、表面層２は、液透過性の表面シート２１により形成されており、防漏層４は液不透過性の裏面シート４１により形成されている。吸収層３は、液保持性の下部吸収体３１と、該下部吸収体３１の中央部（長手方向及び幅方向の中央部分）において該下部吸収体３１上に載置された液保持性の上部吸収体３２とにより形成されている。
表面シート２１は、上部吸収体３２及び下部吸収体３１の表面、下部吸収体３１の側面及び下部吸収体３１の裏面側左右両側部を覆って配されている。また、裏面シート４１は、下部吸収体３１の裏面側において、表面シート２１に接着されて配されている。
裏面シート４１の表面には、粘着剤が塗布されてずれ止め部７が形成されている。
【０００９】
而して、本実施形態の生理用ナプキン１においては、図１及び２に示すように、左右両側縁部における表面層２としての表面シート２１上には、それぞれ、シート材５０から形成され、自由端部５２ｃを有する防漏壁部５が固着されており、防漏壁部５の固着部５１には、多数の開孔５３が設けられている。
【００１０】
更に詳述すると、固着部５１は、シート材５０の幅方向ほぼ中央部を表面層２に固着して線状に形成されており、防漏壁部５の壁部５２は、固着部５１の左右両側それぞれに連設されている。即ち、図２に示すように、防漏壁部５は、その断面形状が、固着部５１の左右両側に壁部５２（５２ａ、５２ｂ）が形成されて、Ｖ字になされている。また、シート材５０の長手方向両端部５０ｂは、図１に示すように、表面シート２１及び裏面シート４１にヒートシールされて接着されている。また、壁部５２の自由端部５２ｃには、弾性部材５４が配されて、壁部５２が起立するようになされている。また、固着部５１よりも吸収性物品の幅方向内方に位置する内方壁部５２ａは、内方に向けて傾斜して、起立しており、固着部よりも吸収性物品の幅方向外方に位置する外方壁部５２ｂは、外方に向けて傾斜して、起立している。ここで、起立とは、各壁部が表面層から隔離された状態で、その基端よりも自由端部の方が上方に位置する状態を意味する。
開孔５３は、本形態においては一列に形成されている。尚、開孔５３は、多列に設けても良い。開孔５３は、シート材５０のみならず表面シート２１にも形成されており、更に下部吸収体３１の上層部にも孔部３１ａが形成されている。このように、表面シート２１にも開孔が形成されているのが、液の吸収性の点からは好ましい。
【００１１】
固着部５１の幅Ｗは、１〜１０mmとするのが好ましく、２〜７mmとするのが更に好ましい。固着部５１の幅Ｗが、１mm未満であると、防漏壁を形成するシート材と表面シートとの接着力が弱くなってしまったり、開孔の面積が小さくなり吸収性に乏しくなったりし、、１０mmを超えると、吸収性物品側縁部が固くなり、使用時の違和感を生じやすいので、好ましくない。
壁部５２の長さＬは、３〜３０mmとするのが好ましく、５〜２０mmとするのが更に好ましい。壁部５２の長さＬが、３mm未満であると、側部の防漏効果が乏しく、３０mmを超えると、壁部が装着注に倒れやすく防漏性がなくなってしまうので、好ましくない。
【００１２】
開孔５３の大きさは、０．１〜１０mm2 とするのが好ましく、０．３〜５mm2 とするのが更に好ましい。開孔５３の大きさが０．１mm2 未満であると、吸収性が乏しく開孔に体液が留まるおそれがあり、１０mm2 を超えると、吸収層からの液戻りが大きくなってしまうので、好ましくない。
開孔５３の密度は、固着部１cm2 あたり、０．５〜１０個とするのが好ましく、１〜５個とするのが更に好ましい。
【００１３】
次いで、生理用ナプキンを構成する各部材の材料等について説明する。
表面シート２１、裏面シート４１、下部吸収体３１及び上部吸収体３２の材料としては、通常、生理用ナプキンなどの吸収性物品に用いられるものであれば特に制限なく用いることができる。
【００１４】
シート材５０としては、下記する材料などが用いられる。
フィルム、不織布、発泡シートやそれらの複合体等シート状の材料であれば特に限定されないが、例えば、ポリエチレン、ポリプロピレンなどのフィルム；ポリエステル、ポリプロピレン、ポリエチレンやそれらの複合繊維からなる不織布；ポリエチレン、ポリブタジエン、ポリウレタンなどの発泡シートや上記不織布とフィルムを複合した複合シートなどが挙げられる。
これらの材料は、良好な防漏性を得るためには、撥水性、又は液不透過性を有していることが好ましい。
また、別体の弾性部材を必要としない材料として、伸縮性を有する不織布、フィルム、発泡シートなどのシート状弾性材料、例えば、ポリウレタン、ポリブタジエン、イソプレンやスチレン−ブタジエン共重合体、スチレン−イソプレン共重合体、エチレン−アクリル酸エチル等からなるフィルム、不織布、発泡シートなどを用いることもできる。
また、肌触りを良くするために、上記シート状弾性材料と、他のポリプロピレン、ポリエステル、ポリエチレン−ポリエステルなどからなる不織布材料とを貼り合わせてなる複合弾性シートを用いても良い。
また、弾性部材は、通常、吸収性物品に用いられるゴム材料などを特に制限なく用いることができる。
【００１５】
本形態の生理用ナプキン１は、その使用時においてずれ止め部７を介してショーツなどの下着に装着して使用される。
そして、上述の如く、構成されているので、防漏壁部５における内方壁部５２ａが漏れを効果的に防止する。また、万一内方壁部５２ａを超えて漏れ出た体液も外方壁部５２ｂにより堰き止めることができ、更に、開孔５３を介して体液を吸収層３に吸収させることができるので、吸収性物品のの横方向からの漏れを効果的に防止することができる。
【００１６】
本形態の生理用ナプキン１は、図１及び２に示す形態で、表面層２、防漏層４及び吸収層３を形成し、次いで、弾性部材５４を配したシート材５０を左右両側に配して、その前後両端部５０ｂをヒートシールして表面シート２１及び裏面シート４１に接着する。そして、最終に開孔５３を形成して、得ることができる。
【００１７】
開孔５３の形成方法としては、本形態においては、シート材５０の表面層２への固定と同時に開孔を行う手法を採用している。即ち、針状の突起を有するヒートシールロールを用いて、該針状の突起を加熱し、この加熱された突起により、ヒートシールすると同時に開孔する。
また、固定と開孔とを別個に行うこともできる。この場合、開孔は、上記の突起を有するヒートシールロールを用いるなどして行うことができ、また、固定は、ホットメルト、ヒートシール、圧着溝を形成する方法、超音波エンボスなどにより行うことができる。
また、開孔は、上述したシート状弾性材料等をシート材として用い、これに予め開孔形成用スリットを設けておき、このスリットを設けたシート材を伸張させることにより形成してもよい。
【００２２】
尚、本発明の吸収性物品は、上述の形態に制限されず、本発明の趣旨を逸脱しない範囲で種々変更が可能である。
例えば、シート材でループを形成して、防漏壁部をループ状としてもよい。
【００２３】
【発明の効果】
本発明の吸収性物品は、横漏れを効果的に防止することができるものである。
【図面の簡単な説明】
【図１】  図１は、本発明の吸収性物品の一形態を示す斜視図である。
【図２】  図２は、図１のII-II 断面図である。  
【符号の説明】
１  生理用ナプキン
２  表面層
２１  表面シート
３  吸収層
３１  下部吸収体
３２  上部吸収体
４  防漏層
４１  裏面シート
５  防漏壁部
５０  シート材
５１  固着部
５２  壁部
５３  開孔
５４  弾性部材
７  ずれ止め部
【図１】
0003850141.tif 000002
【図２】
0003850141.tif 000003